【手続補正書】
【提出日】平成18年8月2日(2006.8.2)
【手続補正１】
【補正対象書類名】明細書
【補正対象項目名】特許請求の範囲
【補正方法】変更
【補正の内容】
【特許請求の範囲】
【請求項１】  送信機から中継装置を介して受信機に送信すべきデータブロックのデータ量を前記送信機が算出するステップと、
該算出したデータ量を表す要求コードを前記送信機から前記中継装置へ送信するステップと、
前記中継装置が、前記要求データを受信すると、該算出されたデータ量のデータブロックを中継することができる場合、該算出されたデータ量のデータブロックの送信を許可する旨の通知を前記送信装置に送信するステップと
を有する通信方法。
【請求項２】  前記送信機は、前記送信機から連続して送信すべきデータブロックのデータ量を記憶した記憶手段を備え、
前記送信装置は、前記中継装置から前記通知を受信すると、前記データブロックのデータ量を該算出したデータ量に対応する値に更新するステップを更に有する
ことを特徴とする請求項１に記載の通信方法。
【請求項３】  中継装置を介して受信機に送信すべきデータブロックのデータ量を算出する算出手段と、
前記算出手段にて算出したデータ量を表す要求コードを前記中継装置へ送信する第１の送信手段と、
前記中継装置が、前記要求データを受信すると、該算出されたデータ量のデータブロックを中継することができる場合、該算出されたデータ量のデータブロックの送信を許可する旨の通知を前記送信装置に送信する第２の送信手段と
を有する送信装置。
【請求項４】  中継装置を介して受信装置へ送信するべき複数のデータブロックの先頭から、そのデータブロックに付与したシーケンス番号の順に予め決められた数のデータブロックを選択する選択手段と、
前記複数のデータブロックのうち、前記選択手段によって選択されたデータブロックを除いた残りのデータブロックのデータ量を算出する算出手段と、
前記算出手段によって算出されたデータ量を表す要求コードを複数部分に分割し、前記選択手段によって選択されたデータブロックの各々の所定領域に対して、前記分割された要求コードの各々を書き込んで前記中継装置へ送信する第１の送信手段と、
前記第１の送信手段によって送信されたデータブロックに分割されて書き込まれている要求コードで表されるデータ量のデータブロックを連続して送信することを許容する旨の通知を前記中継装置から受信した場合に、前記残りのデータブロックを連続して前記中継装置へ送信する第２の送信手段と
を有する送信装置。
【請求項５】  前記第１の送信手段は、前記選択手段によって選択されたデータブロックの各々の所定領域へ前記分割された要求コードを書き込んで送信する際に、該データブロックに付与されたシーケンス番号にしたがって前記分割された要求コードをその先頭部分から順番に書き込んで前記中継装置へ送信する
ことを特徴とする請求項４に記載の送信装置。
【請求項６】  前記要求コードは、前記残りのデータブロックのデータ量を表すとともに、前記残りのデータブロックに内包されているデータの種別を表している
ことを特徴とする請求項４に記載の送信装置。
【請求項７】  前記要求コードは、前記残りのデータブロックのデータ量に応じて異なるデータ長を有する
ことを特徴とする請求項４に記載の送信装置。
【請求項８】  前記要求コードは、前記残りのデータブロックのデータ量が少ないほど短いデータ長を有する
ことを特徴とする請求項７に記載の送信装置。
【請求項９】  データブロックに付与したシーケンス番号にしたがって当該データブロックを決められた数ずつ連続して送信する送信装置から連続して送信されてくるデータブロックを受信する受信手段と、
前記受信手段によって受信されたデータブロックに、該送信装置が送信するべき残りのデータブロックのデータ量を表す要求コードが分割されて書き込まれている場合には、該要求コードで表されるデータ量のデータブロックを連続して中継することが可能であるか否かを判定する判定手段と、
前記要求コードで表されるデータ量のデータブロックを連続して中継することが可能であると前記判定手段によって判定された場合に、その旨を示す通知を前記送信装置へ送信する送信手段と、
前記受信手段によって受信されたデータブロックをその宛先の受信装置へ中継する中継手段と
を有する中継装置。
【請求項１０】  コンピュータ装置に、
中継装置を介して受信装置へ送信するべき複数のデータブロックの先頭から、そのデータブロックに付与したシーケンス番号の順に予め決められた数のデータブロックを選択する選択機能と、
前記複数のデータブロックのうち、前記選択機能によって選択されたデータブロックを除いた残りのデータブロックのデータ量を算出する算出機能と、
前記算出機能によって算出されたデータ量を表す要求コードを複数部分に分割し、前記選択機能によって選択されたデータブロックの各々の所定領域に対して、前記分割された要求コードの各々を書き込んで前記中継装置へ送信する第１の送信機能と、
前記第１の送信機能によって送信されたデータブロックに分割されて書き込まれている要求コードで表されるデータ量のデータブロックを連続して送信することを許容する旨の通知を前記中継装置から受信した場合に、前記残りのデータブロックを連続して前記中継装置へ送信する第２の送信機能と
を実現させるプログラム。
【請求項１１】  コンピュータ装置に、
データブロックに付与したシーケンス番号にしたがって当該データブロックを決められた数ずつ連続して送信する送信装置から連続して送信されてくるデータブロックを受信する受信機能と、
前記受信機能によって受信されたデータブロックに、該送信装置が送信するべき残りのデータブロックのデータ量を表す要求コードが分割されて書き込まれている場合には、該要求コードで表されるデータ量のデータブロックを連続して中継することが可能であるか否かを判定する判定機能と、
前記要求コードで表されるデータ量のデータブロックを連続して中継することが可能であると前記判定機能によって判定された場合に、その旨を示す通知を前記送信装置へ送信する送信機能と、
前記受信機能によって受信されたデータブロックをその宛先の受信装置へ中継する中継機能と
を実現させるプログラム。
【手続補正２】
【補正対象書類名】明細書
【補正対象項目名】０００５
【補正方法】変更
【補正の内容】
【０００５】
【特許文献１】特開２００１−２９８４８５号公報
【手続補正３】
【補正対象書類名】明細書
【補正対象項目名】０００８
【補正方法】変更
【補正の内容】
【０００８】
【課題を解決するための手段】
本発明は、上記課題を解決するために、送信機から中継装置を介して受信機に送信すべきデータブロックのデータ量を前記送信機が算出するステップと、該算出したデータ量を表す要求コードを前記送信機から前記中継装置へ送信するステップと、前記中継装置が、前記要求データを受信すると、該算出されたデータ量のデータブロックを中継することができる場合、該算出されたデータ量のデータブロックの送信を許可する旨の通知を前記送信装置に送信するステップと、を有する通信方法を提供する。本発明は、また、中継装置を介して受信機に送信すべきデータブロックのデータ量を算出する算出手段と、前記算出手段にて算出したデータ量を表す要求コードを前記中継装置へ送信する第１の送信手段と、前記中継装置が、前記要求データを受信すると、該算出されたデータ量のデータブロックを中継することができる場合、該算出されたデータ量のデータブロックの送信を許可する旨の通知を前記送信装置に送信する第２の送信手段と、を有する送信装置を提供する。このような方法および装置によれば、送信を行うに先立ち送信装置から中継装置に送信予定のデータが中継可能か否かを打診するから、輻輳の発生が回避され通信効率が向上する。
本発明は、また、中継装置を介して受信装置へ送信するべき複数のデータブロックの先頭から、そのデータブロックに付与したシーケンス番号の順に予め決められた数のデータブロックを選択する選択手段と、前記複数のデータブロックのうち、前記選択手段によって選択されたデータブロックを除いた残りのデータブロックのデータ量を算出する算出手段と、前記算出手段によって算出されたデータ量を表す要求コードを複数部分に分割し、前記選択手段によって選択されたデータブロックの各々の所定領域に対して、前記分割された要求コードの各々を書き込んで前記中継装置へ送信する第１の送信手段と、前記第１の送信手段によって送信されたデータブロックに分割されて書き込まれている要求コードで表されるデータ量のデータブロックを連続して送信することを許容する旨の通知を前記中継装置から受信した場合に、前記残りのデータブロックを連続して前記中継装置へ送信する第２の送信手段とを有する送信装置を提供する。
【手続補正４】
【補正対象書類名】図面
【補正対象項目名】図２
【補正方法】変更
【補正の内容】
【図２】
2005064597.tif 000001
【手続補正５】
【補正対象書類名】図面
【補正対象項目名】図４
【補正方法】変更
【補正の内容】
【図４】
2005064597.tif 000002